(57)【要約】  【課題】  ディスク再生記録の起動時間を短縮できるディスク装置を提供する。  【解決手段】  対物レンズ２からＢｌｕ−ｒａｙ  Ｄｉｓｃ用のレーザを射出させながら対物レンズ２をディスク１表面に向かって上昇させ、ディスク１表面でのレーザの反射光に基づくフォーカスエラー信号を検出した後に、ディスク１の記録層でのレーザの反射光に基づくフォーカスエラー信号を検出すれば、ディスク１がＢｌｕ−ｒａｙ  Ｄｉｓｃであると判定し、そうでなければＣＤあるいはＤＶＤであると判定する。【選択図】      図１
2007018589.tif 000002
【特許請求の範囲】
【請求項１】
対物レンズと、該対物レンズから光ビームを射出させる光ビーム射出手段と、前記対物レンズをディスクの記録面に略垂直方向に移動させる対物レンズ移動手段と、前記ディスクでの前記光ビームの反射光に基づく信号を検出する検出手段と、
ディスク表面から第一の距離をもって形成される記録層を有する第一のディスクの前記記録層に焦点が届くような第一の焦点距離をもつ光ビームを光ビーム射出手段により前記対物レンズから射出させ、前記対物レンズから射出される前記光ビームの焦点が前記ディスク表面から離れた位置からディスク表面に近接する方向に移動するよう前記対物レンズを前記対物レンズ移動手段により前記ディスク表面に近接する方向に移動させ、前記ディスク表面での前記光ビームの反射光に基づく信号を前記検出手段により検出した後、前記ディスクが有する記録層での前記光ビームの反射光に基づく信号を前記検出手段により検出したか否かに基づき、前記ディスクが、前記第一のディスクであるか、あるいはディスク表面から前記第一の距離に比して長い第二の距離をもって形成され前記第一の焦点距離をもつ前記光ビームの焦点が届かない記録層を有する第二のディスクであるかを判別するような制御手段と、を備えることを特徴とするディスク装置。
【請求項２】
前記制御手段は、前記ディスク表面での前記光ビームの反射光に基づく信号を前記検出手段により検出した後、前記ディスクが有する記録層での前記光ビームの反射光に基づく信号を前記検出手段により検出した場合、前記ディスク表面での前記光ビームの反射光に基づく信号を前記検出手段により検出してから、前記ディスクが有する記録層での前記光ビームの反射光に基づく信号を前記検出手段により検出するまでの経過時間が所定時間以内であれば、前記ディスクが前記第一のディスクであると判別することを特徴とする請求項１に記載のディスク装置。
【請求項３】
前記制御手段は、前記ディスクが前記第二のディスクであると判別した後、前記対物レンズから前記第一の焦点距離に比して長い第二の焦点距離をもつ光ビームを光ビーム射出手段により射出させ、前記対物レンズを前記対物レンズ移動手段により前記ディスク表面から離れる方向に移動させ、前記ディスクが有する記録層での前記光ビームの反射光に基づく信号を前記検出手段により検出してから、前記ディスク表面での前記光ビームの反射光に基づく信号を前記検出手段により検出するまでの経過時間に基づき前記ディスクが前記第二のディスクのうちいずれの種別のディスクであるかを判別することを特徴とする請求項１または請求項２に記載のディスク装置。
【発明の詳細な説明】
【技術分野】
【０００１】
本発明は、ディスク装置におけるディスク判別方法に関する。
【背景技術】
【０００２】
従来からデジタルデータを記録するディスクメディアとして、例えば、ＣＤ（Ｃｏｍｐａｃｔ Ｄｉｓｋ）、ＭＤ（Ｍｉｎｉ−Ｄｉｓｋ）、ＤＶＤ（Ｄｉｇｉｔａｌ Ｖｅｒｓａｔｉｌｅ  Ｄｉｓｋ）等がある。これらのディスクは、金属薄板をプラスチックで保護した円盤であり、レーザ光が照射され、その反射光の変化で記録された信号が読み取られる。
【０００３】
また、ディスクには例えばＣＤ−ＲＯＭ、ＤＶＤ−ＲＯＭ等の再生専用タイプのものと、ＭＤ、ＣＤ−Ｒ、ＣＤ−ＲＷ、ＤＶＤ−Ｒ、ＤＶＤ−ＲＷ、ＤＶＤ＋Ｒ、ＤＶＤ＋ＲＷ、ＤＶＤ−ＲＡＭ等のユーザーデータが記録可能なタイプがある。
【０００４】
記録可能タイプのものには、光磁気記録方式、相変化記録方式、色素膜変化記録方式等が利用される。色素膜変化記録方式はライトワンス記録方式とも呼ばれ、一度だけデータ記録が可能で書換え不能であるため、データ保存用途などに好適とされる。一方、光磁気記録方式や相変化記録方式は、データの書換えが可能であり音楽、映像、ゲーム、アプリケーションプログラム等の各種コンテンツデータの記録を始めとして各種用途に利用される。
【０００５】
上記のようなディスクを再生記録する装置においては、様々な種類のディスクを１台の装置で再生記録できる装置が従来から開発されており、このような装置におけるディスク判別方法についても従来から開発されている。
【０００６】
例えば、特許文献１には、ディスクがＣＤであるかＤＶＤであるかを判別する方法が開示されている。ここでは、ＣＤとＤＶＤとでディスク表面からディスク内部の記録層までの距離（カバー層の厚み）が異なることを利用しており、ディスクに照射されるレーザビームの焦点をディスクの表面から離れた位置から記録層に対して近づくように移動制御し、レーザビームの焦点がディスク表面に移動したタイミングで得られる小レベルのＰＩ信号（ＲＦ信号の低周波成分を抽出した信号でディスクの反射率を示す信号）が検出されてから、レーザビームの焦点が記録層に移動したタイミングで得られる大レベルのＰＩ信号が検出されるまでの時間に基づき、ディスクがＣＤであるかＤＶＤであるかを判別する。
【０００７】
ここで、近年、Ｂｌｕ−ｒａｙ  Ｄｉｓｃと呼ばれる高密度光ディスクが開発され、著しい大容量化が図られている。Ｂｌｕ−ｒａｙ  Ｄｉｓｃでは、波長４０５ｎｍのレーザ（いわゆる青色レーザ）とＮＡ（開口数）が０．８５の対物レンズの組み合わせでビームスポットを大きく絞り込み、フェーズチェンジマーク（相変化マーク）の記録を行い、トラックピッチが０．３２μｍで、線密度が０．１２μｍ／ｂｉｔで、６４ＫＢのデータブロックを１つの記録単位として、フォーマット効率約８２％としたとき、直径１２ｃｍのディスクに２３．３ＧＢ程度の容量を記録できる。また、同様のフォーマットで、線密度を０．１１２μｍ／ｂｉｔの密度とすると、２５ＧＢの容量を記録できる。さらに、記録層を多層構造とすることでさらに飛躍的な大容量化が実現できる。例えば記録層を２層とすることにより、容量は上記の２倍である４６．６ＧＢ、また５０ＧＢとすることができる。また、Ｂｌｕ−ｒａｙ  Ｄｉｓｃのカバー層の厚みはＮＡに対応してＣＤ（１．２ｍｍ）、ＤＶＤ（０．６ｍｍ）に比べて薄く０．１ｍｍである。
【０００８】
このようなＢｌｕ−ｒａｙ  Ｄｉｓｃと従来のＣＤ、ＤＶＤの再生記録に対応するディスク装置におけるディスク判別方法として、上記特許文献１を適用すると次のようなものが考えられる。図５に示すように、ＤＶＤ用のレーザ波長６５０μｍ、ＮＡ＝０．６、またはＣＤ用のレーザ波長７８０μｍ、ＮＡ＝０．４５という条件下で対物レンズ２からディスク１に向かってレーザビームを照射し、レーザビームの焦点がカバー層１ａ表面から離れた位置から近づく方向へ（図中矢印方向へ）対物レンズ２を移動制御し、レーザビームの焦点がディスク１表面（カバー層１ａ表面）に移動したタイミングで得られる小レベルのＰＩ信号が検出されてから、レーザビームの焦点が記録層１ｂに移動したタイミングで得られる大レベルのＰＩ信号が検出されるまでの時間を計測する。図（ａ）はＢｌｕ−ｒａｙ  Ｄｉｓｃ、図（ｂ）はＤＶＤ、図（ｃ）はＣＤの場合を示しており、カバー層１ａの厚みはＢｌｕ−ｒａｙ  Ｄｉｓｃ（０．１ｍｍ）＜ＤＶＤ（０．６ｍｍ）＜ＣＤ（１．２ｍｍ）であるから、前記計測した時間もＢｌｕ−ｒａｙ  Ｄｉｓｃ＜ＤＶＤ＜ＣＤとなり、これからディスク１を判別することができる。
【０００９】
しかし、上記の方法では、ディスク１がＢｌｕ−ｒａｙ  Ｄｉｓｃであると判別された場合、レーザ波長、ＮＡをＢｌｕ−ｒａｙ  Ｄｉｓｃ用に切り換え、また、Ｂｌｕ−ｒａｙ  Ｄｉｓｃ用のレーザビームはＣＤ、ＤＶＤに比べて焦点距離が短いため（ＮＡが大きいためである）、判別後に図（ａ）の状態から対物レンズをディスク１表面側（図中矢印方向）へ移動させ、レーザビームの焦点を記録層１ｂに到達させてサーボ調整をする必要があり、結果としてＢｌｕ−ｒａｙ  Ｄｉｓｃ記録再生までの時間が長くなってしまう。Ｂｌｕ−ｒａｙ  Ｄｉｓｃ対応のディスク装置の場合、特にユーザはＢｌｕ−ｒａｙ  Ｄｉｓｃを使用する頻度が高いため、Ｂｌｕ−ｒａｙ  Ｄｉｓｃによる記録再生の起動時間が長いことはユーザにとって扱いにくいものとなる。
【特許文献１】特開２００４−３４２３０９号公報（第８頁）
【発明の開示】
【発明が解決しようとする課題】
【００１０】
本発明は上記問題点を鑑みてなされたものであり、ディスク再生記録の起動時間を短縮できるディスク装置を提供することを目的とする。
【課題を解決するための手段】
【００１１】
上記目的を達成するために本発明のディスク装置は、対物レンズと、該対物レンズから光ビームを射出させる光ビーム射出手段と、前記対物レンズをディスクの記録面に略垂直方向に移動させる対物レンズ移動手段と、前記ディスクでの前記光ビームの反射光に基づく信号を検出する検出手段と、
ディスク表面から第一の距離をもって形成される記録層を有する第一のディスクの前記記録層に焦点が届くような第一の焦点距離をもつ光ビームを光ビーム射出手段により前記対物レンズから射出させ、前記対物レンズから射出される前記光ビームの焦点が前記ディスク表面から離れた位置からディスク表面に近接する方向に移動するよう前記対物レンズを前記対物レンズ移動手段により前記ディスク表面に近接する方向に移動させ、前記ディスク表面での前記光ビームの反射光に基づく信号を前記検出手段により検出した後、前記ディスクが有する記録層での前記光ビームの反射光に基づく信号を前記検出手段により検出したか否かに基づき、前記ディスクが、前記第一のディスクであるか、あるいはディスク表面から前記第一の距離に比して長い第二の距離をもって形成され前記第一の焦点距離をもつ前記光ビームの焦点が届かない記録層を有する第二のディスクであるかを判別するような制御手段と、を備えることを特徴とする。
【００１２】
このような構成によれば、例えば、Ｂｌｕ−ｒａｙ  Ｄｉｓｃによる再生記録を行う場合、ＣＤやＤＶＤの記録層に焦点が届かない焦点距離をもつＢｌｕ−ｒａｙ  Ｄｉｓｃ読み取り用の光ビームによってディスクがＢｌｕ−ｒａｙ  Ｄｉｓｃであると判別されるので、そのまま即座にサーボ調整を行うことができ、結果的にＢｌｕ−ｒａｙ  Ｄｉｓｃによる再生記録の起動時間を短くすることができ、ユーザにとって扱いやすいディスク装置となる。
【００１３】
また、本発明のディスク装置は、前記制御手段は、前記ディスク表面での前記光ビームの反射光に基づく信号を前記検出手段により検出した後、前記ディスクが有する記録層での前記光ビームの反射光に基づく信号を前記検出手段により検出した場合、前記ディスク表面での前記光ビームの反射光に基づく信号を前記検出手段により検出してから、前記ディスクが有する記録層での前記光ビームの反射光に基づく信号を前記検出手段により検出するまでの経過時間が所定時間以内であれば、前記ディスクが前記第一のディスクであると判別することを特徴とする。
【００１４】
このような構成によれば、ディスクが例えばＢｌｕ−ｒａｙ  Ｄｉｓｃであることをより確実に判別できる。
【００１５】
また、本発明のディスク装置は、前記制御手段は、前記ディスクが前記第二のディスクであると判別した後、前記対物レンズから前記第一の焦点距離に比して長い第二の焦点距離をもつ光ビームを光ビーム射出手段により射出させ、前記対物レンズを前記対物レンズ移動手段により前記ディスク表面から離れる方向に移動させ、前記ディスクが有する記録層での前記光ビームの反射光に基づく信号を前記検出手段により検出してから、前記ディスク表面での前記光ビームの反射光に基づく信号を前記検出手段により検出するまでの経過時間に基づき前記ディスクが前記第二のディスクのうちいずれの種別のディスクであるかを判別することを特徴とする。
【００１６】
このような構成によれば、ディスクが例えばＢｌｕ−ｒａｙ  ＤｉｓｃではなくＤＶＤまたはＣＤであると判別された場合、その後のディスクがＤＶＤあるいはＣＤであるかの判別動作の時間を極力短くすることができ、ＤＶＤやＣＤによる再生記録の起動時間を極力短くすることができ、ユーザにとって扱いやすいディスク装置となる。
【発明の効果】
【００１７】
本発明のディスク装置によれば、ディスク再生記録の起動時間を短縮できる。
【発明を実施するための最良の形態】
【００１８】
本発明の実施形態について、以下図面を参照して説明する。図１に、相変化方式でデータが記録されるディスクの記録再生を行うディスク装置の構成を示すブロック図を示す。なお、本発明はこれ以外のディスク装置にも適用できる。
【００１９】
ディスク１は相変化方式でデータが記録されるディスクである。ディスク１の記録面にはウォブリング（蛇行）したグルーブが形成され、このグルーブが記録トラックとなる。グルーブのウォブリングにはアドレス情報等が埋め込まれている。
【００２０】
このようなディスク１はスピンドルモータ９の軸と一体化された不図示のターンテーブルに固定され、スピンドルモータ９がディスク１を一定線速度で回転させる。
【００２１】
ピックアップ８はディスク１の記録面にレーザを照射し、ディスク１の記録面に相変化マークとしてデータを記録したり、ディスク１の記録面に記録された相変化マークとしてのデータを読み出したり、ウォブリングとしてのアドレス情報を読み出す。ピックアップ８は、レーザ光源としてのレーザダイオード７、レーザをディスク１の記録面に集光する対物レンズ２、ディスク１からのレーザの反射光を受光して電気信号に変換するフォトディテクタ６、レーザダイオード７から射出されたレーザを対物レンズ２に導き、ディスク１からの反射光をフォトディテクタ６に導く光学系を有する。レーザダイオード７は、Ｂｌｕ−ｒａｙ  Ｄｉｓｃに対応して波長が４０５ｎｍ、ＤＶＤに対応して波長が６５０ｎｍ、ＣＤに対応して波長が７８０ｎｍのレーザを射出することができる。
【００２２】
またピックアップ８は、対物レンズ２を駆動するアクチュエータとして、光軸に対して平行に対物レンズを変位させるフォーカスアクチュエータ３、光軸に対して垂直に対物レンズ２を変位させるトラッキングアクチュエータ４を有する。また、レーザダイオード７から対物レンズ２までの光路の途中には、球面収差補正機構５や波長選択シャッタ（不図示）が設けられる。球面収差補正機構５は、ビームエキスパンダやこれを駆動するアクチュエータを有し、波長の異なるレーザに対する球面収差を抑えることができる。また、波長選択シャッタは、波長選択膜により構成され、４０５ｎｍのレーザに対しては透過するが、６５０ｎｍのレーザに対しては対物レンズ２のＮＡが０.６に、７８０ｎｍのレーザに対しては対物レンズ２のＮＡが０.４５になるように開口制限し、ディスクに対応してＮＡを切り換えることができる。
【００２３】
ＲＦ処理回路１２は、電流電圧変換回路、マトリクス演算回路、増幅回路等を有し、フォトディテクタ６の複数の受光面から出力される光検出信号に基づき、マトリクス演算処理により様々な信号を生成する。ＲＦ処理回路１２が生成する信号には、再生データに相当する高周波信号である再生ＲＦ信号、サーボ制御のためのフォーカスエラー信号およびトラッキングエラー信号、ディスク１のグルーブウォブリングに係るウォブル信号がある。
【００２４】
信号処理回路１４は、ＲＦ処理回路１２から送出される再生ＲＦ信号に基づき２値化処理、ＰＬＬによる再生クロック生成処理等を行い、２値化したデータにさらに復調、誤り訂正を行い、再生データを生成する。再生データはシステムコントローラ２０に読み出され、図示しないホストシステムに転送される。
【００２５】
また、信号処理回路１４は、ＲＦ処理回路１２から送出されるウォブル信号をアドレス情報にデコードし、システムコントローラ２０に送出する。また、信号処理回路１４は、ウォブル信号を用いたＰＬＬ処理でクロックを生成する。このクロックは記録時のエンコードクロック等に用いられる。
【００２６】
また、データ記録時には、図示しないホストシステムから記録データがシステムコントローラ２０を介して信号処理回路１４が有するメモリにバッファリングされる。そして、信号処理回路１４はバッファリングされた記録データを上記エンコードクロックを基準クロックとして誤り訂正コード付加等を行い、さらに変調を行う。誤り訂正方式や変復調方式についてはディスクに対応したものを用いる。そして、信号処理回路１４は変調後の記録データをパルス信号としてレーザドライバ１１に送出し、レーザドライバ１１はパルス信号に基づきレーザダイオード７を発光駆動する。これにより、ディスク１の記録面に記録データが相変化マークとして形成される。
【００２７】
なお、レーザドライバ１１は、いわゆるＡＰＣ回路を有し、ピックアップ８内に設けられたレーザパワーモニタ用フォトディテクタの出力よりレーザパワーをモニタしながら、レーザの出力が温度等によらず一定となるよう制御する。レーザ出力の目標値は記録用、再生用があり、システムコントローラ２０から供給される。
【００２８】
デジタルサーボ処理回路１５は、ＲＦ処理回路１２から送出されＡＤＣ１３でデジタル化されたフォーカスエラー信号およびトラッキングエラー信号に基づきサーボ制御を行う。デジタルサーボ処理回路１５は、フォーカスエラー信号に基づきドライブ信号を生成しＰＷＭ信号生成回路１６に送出し、ＰＷＭ信号生成回路１６はドライブ信号をパルス信号に変換し、ＰＷＭドライバ１８に送出し、ＰＷＭドライバ１８はパルス信号に基づきフォーカス駆動信号を生成し、フォーカスアクチュエータ３を駆動する。同様にデジタルサーボ処理回路１５は、トラッキングエラー信号に基づきドライブ信号を生成し、ＰＷＭ信号生成回路１６およびＰＷＭドライバ１８を介してトラッキング駆動信号によりトラッキングアクチュエータ４を駆動する。これにより、フォーカスサーボ、トラッキングサーボが行われる。
【００２９】
また、デジタルサーボ処理回路１５は、トラッキングエラー信号の低周波成分として得られるスレッドエラー信号に基づいてドライブ信号を生成し、ＰＤＭ信号生成回路１７に送出し、ＰＤＭ信号生成回路１７はドライブ信号をパルス信号に変換し、モータドライバ１９に送出し、モータドライバ１９はパルス信号に基づきスレッド駆動信号を生成し、スレッドモータ１０に送出し、スレッドモータ１０を駆動する。スレッドモータ１０の駆動によりピックアップ８がディスク１の半径方向にスライドし、トラッキングサーボ中の対物レンズ２の光軸ずれを抑えることができる。
【００３０】
また、デジタルサーボ処理回路１５は、システムコントローラ２０からトラックジャンプの指令を受けると、トラッキングサーボをオフとし、トラッキングエラー信号に基づきドライブ信号を生成し、ＰＤＭ信号生成回路１７およびモータドライバ１９を介してスレッド駆動信号によりスレッドモータ１０を駆動する。これにより、ピックアップ８はディスク１の半径方向にスライドし、ディスク１上のレーザスポットが目標トラックに集光する。
【００３１】
また、信号処理回路１４はウォブル信号に対してＰＬＬ処理を行い、クロックをスピンドルモータ９の回転速度情報として生成し、これを所定の基準速度情報と比較することでスピンエラー信号を生成し、デジタルサーボ処理回路１５に送出する。デジタルサーボ処理回路１５は、スピンエラー信号に基づきＰＤＭ信号生成回路１７およびモータドライバ１９を介してスピンドル駆動信号によりスピンドルモータ９を駆動し、ディスク１が線速度一定で回転制御される。
【００３２】
また、デジタルサーボ処理回路１５は、ピックアップ８からの光検出信号に基づきＲＦ処理回路１２が生成する収差を示す信号に基づきドライブ信号を生成し、ＰＷＭ信号生成回路１６およびＰＷＭドライバ１８を介して球面収差補正機構５のアクチュエータを駆動することで、ディスク１に集光されるレーザの球面収差を抑える。
【００３３】
以上のようなサーボ系および記録再生の各種動作はマイクロコンピュータで構成されたシステムコントローラ２０が制御する。システムコントローラ２０は、図示しないホストシステムからのＡＴＡＰＩコマンドに応じて各種処理を実行する。
【００３４】
次に、以上のような構成のディスク装置におけるディスク判別処理について以下、図２のフローチャートを参照しながら説明する。
【００３５】
まず、ステップＳ１でディスク１がディスク装置に挿入され、ターンテーブルに固定される。
【００３６】
次にステップＳ２で、システムコントローラ２０は信号処理回路１４にＢｌｕ−ｒａｙ  Ｄｉｓｃ用のレーザ点灯を指令し、信号処理回路１４はレーザドライバ１１を用いてレーザダイオード７からＢｌｕ−ｒａｙ  Ｄｉｓｃに対応する波長が４０５ｎｍのレーザを射出させ、対物レンズ２からレーザが射出する。このとき、対物レンズのＮＡは０．８５である。また、記録マークが消去されないようレーザパワーが再生用パワーとなるようレーザドライバ１１のＡＰＣ回路が制御する。
【００３７】
次にステップＳ３で、システムコントローラ２０はデジタルサーボ処理回路１５に対物レンズの上昇動作を指令し、デジタルサーボ処理回路１５は、対物レンズ２から射出されるレーザの焦点がディスク１表面から離れた位置からディスク１表面に近づく方向に略等速で移動するよう、ＰＷＭ信号生成回路１６、ＰＷＭドライバ１８およびフォーカスアクチュエータ３を介して対物レンズ２をディスク１記録面の略垂直方向に略等速で駆動する。図３に対物レンズの上昇動作を示す。なお、（ａ）はディスク１がＢｌｕ−ｒａｙ  Ｄｉｓｃ、（ｂ）はディスク１がＤＶＤ、（ｃ）はディスク１がＣＤの場合である。図３のように対物レンズ２がディスク１表面に向かって（図中矢印方向に）略等速に上昇し、レーザの焦点もディスク１表面から離れた位置からディスク１表面に近づく方向に略等速で移動する。また、ステップＳ３ではシステムコントローラ２０は図示しないタイマ部により時間計測を開始する。
【００３８】
対物レンズ２が上昇してゆくと、レーザの焦点がある時点でディスク１表面に到達し、ディスク１表面でのレーザの反射により、図３のような所定の振幅をもつフォーカスエラー信号ＦＥ１（以下、第１フォーカスエラー信号）が得られる。そこで、システムコントローラ２０は、ステップＳ３以降、デジタルサーボ処理回路１５を介してフォーカスエラー信号を監視し、フォーカスエラー信号が第１フォーカスエラー信号のピーク値付近の所定値Ｆ１を越えたことで第１フォーカスエラー信号を検出する。システムコントローラ２０は、ステップＳ３の時間計測開始から所定時間以内に第１フォーカスエラー信号が検出されない場合は（ステップＳ４のＮＯ）、ディスク１が存在しないと判断する。ここでの所定時間は、対物レンズ２が上昇を開始してから可動範囲限界付近まで移動する時間とすればよい。
【００３９】
もし、システムコントローラ２０がステップＳ３の時間計測開始から所定時間以内に第１フォーカスエラー信号を検出すると（ステップＳ４のＹＥＳ）、ステップＳ５で図示しないタイマ部を用いて時間計測を開始する。図３ではタイミングｔ１で時間計測が開始する。
【００４０】
ディスク１がＢｌｕ−ｒａｙ  Ｄｉｓｃの場合、第１フォーカスエラー信号の検出後、対物レンズ２が上昇してゆくとレーザの焦点がディスク１のカバー層１ａを上昇してゆき、フォーカスエラー信号が０となる期間が続き、ある時点でレーザの焦点がディスク１の記録層１ｂに到達すると、レーザの記録層１ｂでの反射により図３（ａ）のような第１フォーカスエラー信号よりも振幅が大きなフォーカスエラー信号ＦＥ２（以下、第２フォーカスエラー信号）が得られる。そこで、システムコントローラ２０は、ステップＳ５以降、デジタルサーボ処理回路１５を介してフォーカスエラー信号を監視し、フォーカスエラー信号が第２フォーカスエラー信号のピーク値付近の所定値Ｆ２を越えたことで第２フォーカスエラー信号を検出する。ステップＳ５の時間計測開始から所定時間以内にシステムコントローラ２０が第２フォーカスエラー信号を検出すると（ステップＳ６のＹＥＳ）、ステップＳ７に進む。この所定時間は、第１フォーカスエラー信号が検出されてから、対物レンズ２が可動範囲限界付近まで上昇するまでの時間である。もし、ステップＳ５の時間計測開始から所定時間以内にシステムコントローラ２０が第２フォーカスエラー信号を検出しなければ（ステップＳ６のＮＯ）、ステップＳ８に進む。
【００４１】
ステップＳ７では、システムコントローラ２０が、ステップＳ５の時間計測開始からステップＳ６で第２フォーカスエラー信号を検出するまでの経過時間が所定時間以内であるかを判定し、所定時間以内であれば（ステップＳ７のＹＥＳ）ディスク１がＢｌｕ−ｒａｙ  Ｄｉｓｃであると判定し、そうでなければ（ステップＳ７のＮＯ）エラーとして処理を中断する。ここでの所定時間は、複数のＢｌｕ−ｒａｙ  Ｄｉｓｃについて予め第１フォーカスエラー信号検出から第２フォーカスエラー信号検出までの時間をサンプルとして計測し、その上限値以内であれば全体サンプルのうちほとんどのサンプルが含まれるような上限値とすればよい。
【００４２】
Ｂｌｕ−ｒａｙ  Ｄｉｓｃ用のレーザはＮＡが大きいため焦点距離が短く、カバー層１ａがＢｌｕ−ｒａｙ  Ｄｉｓｃよりも厚いＤＶＤやＣＤでは対物レンズ２を可動範囲限界まで上昇させてもレーザの焦点が記録層１ｂまで届かず、第２フォーカスエラー信号は得られない。そこで、図３（ｂ）（ｃ）のように、ステップＳ５の時間計測開始（タイミングｔ１）から所定時間が経過し対物レンズ２が可動範囲限界付近まで上昇する（タイミングｔ３）までに第２フォーカスエラー信号が検出されなければ、ディスク１がＢｌｕ−ｒａｙ  Ｄｉｓｃでなく、ＤＶＤあるいはＣＤであると判別でき、ステップＳ８以降でさらにディスク１がＤＶＤであるかＣＤであるかを判別する。一方、図３（ａ）のように、ステップＳ５の時間計測開始（タイミングｔ１）から所定時間が経過し対物レンズ２が可動範囲限界付近まで上昇する（タイミングｔ３）までに第２フォーカスエラー信号が検出されれば（タイミングｔ２）、ディスク１がＢｌｕ−ｒａｙ  Ｄｉｓｃであることはほぼ確定できる。ここでさらに、このステップＳ５の時間計測開始、つまり第１フォーカスエラー信号検出時から第２フォーカスエラー信号が検出されるまでの経過時間（タイミングｔ１からタイミングｔ２の間の時間）が所定時間以内であることをステップＳ７で判定することで、ディスク１がＢｌｕ−ｒａｙ  Ｄｉｓｃであることをより確実に判定している。
【００４３】
ディスク１がＢｌｕ−ｒａｙ  Ｄｉｓｃであると判定された時点で、レーザの焦点は第２フォーカスエラー信号を検出した位置つまり記録層１ｂに位置しているので、そのままフォーカスサーボをオンとしサーボ調整を行うことができ、Ｂｌｕ−ｒａｙ  Ｄｉｓｃの起動時間を短くできる。
【００４４】
次にステップＳ８で、システムコントローラ２０は信号処理回路１４にＤＶＤ用またはＣＤ用のレーザ点灯を指令し、信号処理回路１４はレーザドライバ１１を用いてレーザダイオード７からＤＶＤまたはＣＤに対応する波長が６５０ｎｍまたは７８０ｎｍのレーザを射出させ、対物レンズ２からレーザが射出する。このとき、対物レンズのＮＡは０．６または０．４５である。また、記録マークが消去されないようレーザパワーが再生用パワーとなるようレーザドライバ１１のＡＰＣ回路が制御する。このとき、レーザの焦点距離は上記ステップＳ２〜ステップＳ７で用いたＢｌｕ−ｒａｙ  Ｄｉｓｃ用のレーザの焦点距離よりも長い。
【００４５】
次にステップＳ９で、システムコントローラ２０はデジタルサーボ処理回路１５に対物レンズの下降動作を指令し、デジタルサーボ処理回路１５は、可動範囲限界付近までディスク１表面に近づいた対物レンズ２がディスク１表面から離れる方向に略等速で移動するよう、ＰＷＭ信号生成回路１６、ＰＷＭドライバ１８およびフォーカスアクチュエータ３を介して対物レンズ２をディスク１記録面に略垂直方向に駆動する。図４に対物レンズの下降動作を示す。なお、（ａ）はディスク１がＤＶＤ、（ｂ）はディスク１がＣＤの場合である。図４のように対物レンズ２がディスク１表面から離れる方向（図中矢印方向に）略等速に下降し、レーザの焦点も記録層１ｂからカバー層１ａへの方向に略等速で移動する。また、ステップＳ９ではシステムコントローラ２０は図示しないタイマ部により時間計測を開始する。
【００４６】
上記ステップＳ８のレーザ点灯時にはレーザの焦点は記録層１ｂを上方に越えた位置にあり、対物レンズ２が下降してゆくと、レーザの焦点がある時点で記録層１ｂに到達し、記録層１ｂでのレーザの反射により、図４のような所定の振幅をもつフォーカスエラー信号ＦＥ３（以下、第３フォーカスエラー信号）が得られる。そこで、システムコントローラ２０は、ステップＳ９以降、デジタルサーボ処理回路１５を介してフォーカスエラー信号を監視し、フォーカスエラー信号が第３フォーカスエラー信号のピーク値付近の所定値Ｆ３を越えたことで第３フォーカスエラー信号を検出する。システムコントローラ２０は、ステップＳ９の時間計測開始から所定時間以内に第３フォーカスエラー信号が検出されない場合は（ステップＳ１０のＮＯ）、エラーとして処理を中断する。ここでの所定時間は、対物レンズ２が可動範囲限界付近から下降して、レーザの焦点がディスク１表面から離れた位置まで移動する時間とすればよい。
【００４７】
もし、システムコントローラ２０がステップＳ９の時間計測開始から所定時間以内に第３フォーカスエラー信号を検出すると（ステップＳ１０のＹＥＳ）、ステップＳ１１で図示しないタイマ部を用いて時間計測を開始する。図４ではタイミングｔ４で時間計測が開始する。
【００４８】
第３フォーカスエラー信号の検出後、対物レンズ２が下降してゆくとレーザの焦点がディスク１のカバー層１ａを下降してゆき、フォーカスエラー信号が０となる期間が続き、ある時点でレーザの焦点がディスク１表面に到達すると、レーザのディスク１表面での反射により図４のような第３フォーカスエラー信号よりも振幅が小さなフォーカスエラー信号ＦＥ４（以下、第４フォーカスエラー信号）が得られる。そこで、システムコントローラ２０は、ステップＳ１１以降、デジタルサーボ処理回路１５を介してフォーカスエラー信号を監視し、フォーカスエラー信号が第４フォーカスエラー信号のピーク値付近の所定値Ｆ４を増加方向に越えたことで第４フォーカスエラー信号を検出する。ステップＳ１１の時間計測開始から所定時間以内にシステムコントローラ２０が第４フォーカスエラー信号を検出すると（ステップＳ１２のＹＥＳ）、ステップＳ１３に進む。この所定時間は、ＣＤにおいて第３フォーカスエラー信号が検出されてから、対物レンズ２が下降してゆきレーザの焦点がディスク１表面から離れた位置に移動するまでの時間とすればよい。もし、ステップＳ１１の時間計測開始から所定時間以内にシステムコントローラ２０が第４フォーカスエラー信号を検出しなければ（ステップＳ１２のＮＯ）、エラーとして処理を中断する。
【００４９】
ステップＳ１３では、システムコントローラ２０が、ステップＳ１１の時間計測開始からステップＳ１２で第４フォーカスエラー信号を検出するまでの経過時間が所定時間以内であるかを判定し、所定時間以内であれば（ステップＳ１３のＹＥＳ）ディスク１がＤＶＤであると判定し、そうでなければ（ステップＳ１３のＮＯ）ディスク１がＣＤであると判定する。ここでの所定時間は、複数のＤＶＤおよびＣＤについて予め第３フォーカスエラー信号検出から第４フォーカスエラー信号検出までの時間をサンプルとして計測し、ＤＶＤのサンプルとＣＤのサンプルとを区別するようなしきい値とすればよい。
【００５０】
図４のようにＤＶＤはＣＤに比べてカバー層の厚みが薄いため、記録層１ｂに対応する第３フォーカスエラー信号の検出からディスク１表面に対応する第４フォーカスエラー信号の検出までの時間はＤＶＤ（タイミングｔ４からｔ５の時間）のほうがＣＤ（タイミングｔ６からｔ５の時間）に比べて小さいため、上記方法によりディスク１がＤＶＤであるかＣＤであるかを判別できる。
【００５１】
このように、対物レンズ２を上昇させてディスク１がＢｌｕ−ｒａｙ  Ｄｉｓｃでないと判定された場合、上昇した対物レンズ２を下降させてディスク１がＤＶＤあるいはＣＤであるかを判定するので、Ｂｌｕ−ｒａｙ  Ｄｉｓｃの判定後、即座にＤＶＤ・ＣＤの判定を行うことができ、ＤＶＤ・ＣＤの起動時間を極力短くすることができる。なお、起動時間が許すのであれば、Ｂｌｕ−ｒａｙ  Ｄｉｓｃの判定後、レーザの焦点がディスク１表面から離れた位置まで移動するよう対物レンズ２を下降させ、その後、対物レンズ２を再度上昇させて、ディスク１表面に対応する第４のフォーカスエラー信号が検出されてから記録層１ｂに対応する第３のフォーカスエラー信号が検出されるまでの時間を計測し、その時間が所定時間以内であればディスク１がＤＶＤ、そうでなければＣＤであると判定してもよい。
【００５２】
なお、以上の実施形態ではフォーカスエラー信号の検出に基づく方法を説明したが、フォーカスエラー信号の代わりに、ディスクでの反射光に基づく他の信号、例えば前述したＰＩ信号の検出に基づく方法でもよい。
【図面の簡単な説明】
【００５３】
【図１】は、本発明に係るディスク装置のブロック図である。
【図２】は、本発明に係るディスク装置におけるディスク判別処理のフローチャートである。
【図３】は、Ｂｌｕ−ｒａｙ  Ｄｉｓｃ用レーザ点灯時の対物レンズの上昇動作およびフォーカスエラー信号の波形を示す図である。
【図４】は、ＤＶＤまたはＣＤ用レーザ点灯時の対物レンズの下降動作およびフォーカスエラー信号の波形を示す図である。
【図５】は、従来技術に基づくディスク判別方法を示す図である。
【符号の説明】
【００５４】
１    ディスク
２    対物レンズ
３    フォーカスアクチュエータ
４    トラッキングアクチュエータ
５    球面収差補正機構
６    フォトディテクタ
７    レーザダイオード
８    ピックアップ
９    スピンドルモータ
１０    スレッドモータ
１１    レーザドライバ
１２    ＲＦ処理回路
１３    ＡＤＣ
１４    信号処理回路
１５    デジタルサーボ処理回路
１６    ＰＷＭ信号生成回路
１７    ＰＤＭ信号生成回路
１８    ＰＷＭドライバ
１９    モータドライバ
２０    システムコントローラ
【図１】
2007018589.tif 000003
【図２】
2007018589.tif 000004
【図３】
2007018589.tif 000005
【図４】
2007018589.tif 000006
【図５】
2007018589.tif 000007